(57)【特許請求の範囲】
【請求項１】
車両に搭載される空調装置と、
前記空調装置によって車内に送風される空気を冷却するエバポレータと、
エンジンから動力を得るエアコン用コンプレッサと、
前記エバポレータもしくは前記エバポレータの周辺の温度を測定するエバポレータ温度センサと、
前記エバポレータ温度もしくは前記エバポレータの周辺温度が所定温度となった場合に前記エアコン用コンプレッサの作動と停止を実施する制御装置と、を備える車両の空調制御装置において、
前記車両はアクセル開度とエアコン冷媒圧を測定するセンサを備え、
前記制御装置は時間カウントを行うタイマを備えるとともに上記センサの検出結果を入力し、
前記制御装置は、前記アクセル開度とエアコン冷媒圧が所定値以上であると判断された場合に時間カウントを開始し、前記アクセル開度とエアコン冷媒圧が所定値以上となる状態が所定時間連続して維持された場合に、前記エアコン用コンプレッサの作動と停止を実施する所定温度を高温側に変更するとともに、既に前記エアコン用コンプレッサの作動と停止を実施する所定温度を高温側に変更しており、且つ前記時間カウントを行うための条件が満足されない場合は、直ちに前記エアコン用コンプレッサの作動と停止を実施する所定温度の高温側への変更を解除することを特徴とする車両の空調制御装置。
【請求項２】
前記制御装置は、前記時間カウント中に前記エアコン用コンプレッサの作動と停止を実施する所定温度を高温側に変更するための条件が満たされないと判断された場合、前記時間カウントを中止し、前記エアコン用コンプレッサの作動と停止を実施する所定温度を高温側に変更せずにフロー処理を終えることを特徴とする請求項１に記載の車両の空調制御装置。
【発明の詳細な説明】
【技術分野】
【０００１】
この発明は車両の空調制御装置に係り、特に、空調装置を搭載した車両についての加速性能向上と車室の快適性確保との両立を図った車両の空調制御装置に関する。
【背景技術】
【０００２】
車両に搭載した空調装置（エアコンともいう）には、エアコン冷媒を圧縮するエアコン用コンプレッサが備えられている。エアコン用コンプレッサの作動可否の判断は、エバポレータ（エアコン冷媒）の温度によるものがある。エバポレータの温度は、所定の温度範囲内にあるよう、その都度、車両の空調制御装置がエアコン用コンプレッサの作動（ＯＮともいう）や停止（ＯＦＦともいう）を行う。
一方、車両の空調装置には、エアコン用コンプレッサの動力をエンジンから得ているものがある。そのため、エアコン用コンプレッサの作動は、エンジンにとって大きな負荷となっており、車両の加速性能悪化やエンジン過熱によるオーバーヒートの原因にもなる。
このため、従来の空調制御装置では、エンジンがオーバーヒート状態となる、またはオーバーヒートが予測される場合にエアコン用コンプレッサを停止し、エンジンヘの負荷を減らしてエンジンを冷却し、エンジンの水温が所定の温度以下となると再度エアコン用コンプレッサの作動をさせる制御を行っていた。
しかし、エアコン用コンプレッサが停止すると、車内には冷風を送ることができないので、車内への送風が停止し、車内の快適性が損なわれてしまう問題がある。
【０００３】
上記問題を解決するための従来技術として、特許文献１には、エバポレータの温度情報を用いて、車両の空調制御装置がエアコン用コンプレッサの作動、停止を判断し、エアコン用コンプレッサの作動と停止を行っている。特許文献１の空調制御装置は、車両が加速状態であると判断された場合に、エアコン用コンプレッサの作動を判断する温度、停止を判断する温度の両方を高温側に変更することを特徴としている。これより、特許文献１の空調制御装置は、加速時においてエアコン用コンプレッサの稼働率を小さくし、加速を円滑に行うことができるとともに省電力化、低燃費化が実現でき、オーバーヒートの発生も抑制できる。
【先行技術文献】
【特許文献】
【０００４】
【特許文献１】特開昭５７−１４０２１８号公報
【発明の概要】
【発明が解決しようとする課題】
【０００５】
しかし、前記特許文献１では、以下の問題もある。 
特許文献１では、車両が加速状態であると判断するために、吸気管内の圧力（吸気圧）を検出する圧力検出スイッチや、車両内に設置されるスピードメータの入力信号により作動されるスイッチを用いるとしている。この車両が加速状態であると判断する条件は、吸気圧や車両の加速度がある一定以上の場合と推測されるが、これらの条件が満たされた場合でも車両が乗員によって故意に加速する状態ではない場合が考えられる。例えば、吸気圧は、エンジンを動力源とする他の補機の作動によってエンジンの負荷が大となり、それに伴って大となる場合がある。また、車両の加速度が上昇するのは、車両が降坂状態である場合が考えられる。
つまり、特許文献１のように、吸気圧や車速のみから車両が加速状態であると判断するのでは、必ずしも乗員の意図した車両の加速状況下でない場合があり、車内の空調装置による快適性が損なわれやすい問題がある。
また、車両は、外気温度が高温で坂道を登坂する場合、勾配がきつくなるに従いエンジン負荷が増大してエンジンの冷却性能が悪化する。その場合、空調制御装置は、オーバーヒートを判定すると、ある一定期間、空調装置を非作動にしてエンジンを冷却する。空調制御装置は、エンジンの水温が一定値以下になると、再度空調装置を稼動する。この場合、空調装置が吹き出す空気温度の変化が大きく、不快感を与えて快適性が損なわれる問題がある。また、空調装置の非作動によって、冷却水の温度上昇も著しくなる問題がある。
【０００６】
この発明は、車両の加速性能向上と車内の快適性確保を両立させつつ、且つエンジンヘの負荷を軽減する車両の空調制御装置を提供することを目的とする。
【課題を解決するための手段】
【０００７】
この発明は、車両に搭載される空調装置と、前記空調装置によって車内に送風される空気を冷却するエバポレータと、エンジンから動力を得るエアコン用コンプレッサと、前記エバポレータもしくは前記エバポレータの周辺の温度を測定するエバポレータ温度センサと、前記エバポレータ温度もしくは前記エバポレータの周辺温度が所定温度となった場合に前記エアコン用コンプレッサの作動と停止を実施する制御装置と、を備える車両の空調制御装置において、前記車両はアクセル開度とエアコン冷媒圧を測定するセンサを備え、前記制御装置は時間カウントを行うタイマを備えるとともに上記センサの検出結果を入力し、前記制御装置は、前記アクセル開度とエアコン冷媒圧が所定値以上であると判断された場合に時間カウントを開始し、前記アクセル開度とエアコン冷媒圧が所定値以上となる状態が所定時間連続して維持された場合に、前記エアコン用コンプレッサの作動と停止を実施する所定温度を高温側に変更するとともに、既に前記エアコン用コンプレッサの作動と停止を実施する所定温度を高温側に変更しており、且つ前記時間カウントを行うための条件が満足されない場合は、直ちに前記エアコン用コンプレッサの作動と停止を実施する所定温度の高温側への変更を解除することを特徴とする。
【発明の効果】
【０００８】
この発明の車両の空調制御装置は、乗員の車両の加速要求をアクセルペダル踏み込み量により判断することとしたので、従来技術よりも、より乗員の意に沿った車両の加速要求判断を行うことができ、且つ一つのセンサの検出結果より乗員の車両の加速要求判断を行うことができる。
この発明の車両の空調制御装置は、乗員が車両の加速要求とエアコンの作動要求を持ち合わせているときにエバポレータの所定温度を高温側に変更することで、エアコン用コンプレッサの稼動量を減らして、エアコン用コンプレッサの駆動によるエンジントルクの減少を抑制できる。故に、この発明の車両の空調制御装置は、乗員の意に沿った車両の加速性能確保と空調装置の作動が可能となる。
この発明の車両の空調制御装置は、エアコン用コンプレッサの作動と停止を実施するエバポレータの所定温度を高温側に変更させるか否を、乗員の加速要求の指標となるアクセルペダル踏み込み量を示すアクセル開度と、エアコン用コンプレッサの稼動量を示すエアコン冷媒圧との２つの要素から判断することとしたので、制御装置の構成の簡素化ができる。
この発明の車両の空調制御装置は、エアコン用コンプレッサの作動と停止を実施するエバポレータの所定温度を高温側に変更させるトリガを、アクセル開度およびエアコン冷媒圧が所定値以上となることだけでなく、その状態が所定時間継続した場合としている。この発明の車両の空調制御装置は、アクセル開度およびエアコン冷媒圧が瞬間的に所定値以上となるような場合、エバポレータの所定温度を高温側とする制御に移行しないので、高温側の制御への変更頻度が軽減できる。
この発明の車両の空調制御装置は、高温側での制御時に車内に吹き出しされる空気温度は通常時の制御の場合に比べて若干高くなるが、空調装置が停止している場合よりも車内の快適性を確保することができる。
この発明の車両の空調制御装置は、フロー処理開始時に高温側の制御に移行するためのアクセル開度およびエアコン冷媒圧の条件（時間カウントを除く）をみてから、高温側の制御実行中であるか否かの確認を行うので、特に高温側の制御が実行中である場合は通常時の制御に移行するか高温側の制御を維持するかを直ちに判断することができる。
【図面の簡単な説明】
【０００９】
【図１】車両の空調制御装置のシステム構成図である。（実施例）
【図２】（Ａ）は従来の空調制御装置によるエバポレータの温度とエアコン用コンプレッサのＯＮ、ＯＦＦとの関係を示す図、（Ｂ）はこの発明の空調制御装置によるエバポレータの温度とエアコン用コンプレッサのＯＮ、ＯＦＦとの関係を示す図である。（実施例）
【図３】実施例に対応した制御装置のフローチャートである。（実施例）
【図４】変形例１に対応した制御装置のフローチャートである。（変形例１）
【図５】変形例１のタイムチャートである。（変形例１）
【発明を実施するための形態】
【００１０】
以下図面に基づいて、この発明の実施例を説明する。 
【実施例】
【００１１】
図１〜図３は、この発明の実施例を示すものである。図１において、１は車両の空調装置制御装置である。空調制御装置１は、空調装置２と空調操作部３と制御装置４とを備えている。
【００１２】
空調装置２は、エアコン冷媒を扱う冷熱サイクルユニット５と、空調空気を扱うヒータおよびクーリングユニット６と、空調空気を吹き出すフロアベンチレータ７とを備えている。
前記冷熱サイクルユニット５は、エアコン用コンプレッサリレー８で切断、接続されるマグネットクラッチ９を介してエンジンに接続されたエアコン冷媒を圧縮するエアコン用コンプレッサ１０と、ラジエータファン１１によりエアコン冷媒を冷却液化するコンデンサ１２および液化したエアコン冷媒を貯めるレシーバドライヤ１３と、エアコン冷媒の圧力を測定する冷媒圧センサ１４と、エアコン冷媒を減圧膨張させるエキスパンションバルブ１５と、エアコン冷媒により車内の空気を冷却するエバポレータ１６とを備えている。
前記ヒータおよびクーリングユニット６は、ブロワファンドライバ１７によって駆動されるブロワファンモータ１８と、前記エバポレータ１６に内気と外気とを切り替えて流す内外気切替アクチュエータ１９および前記エバポレータ１６もしくはエバポレータ１６の周辺の温度を検出するエバポレータ温度センサ２０と、エバポレータ１６からの冷気の流れ方向を切り替るエアミックスアクチュエータ２１、車内の空気を加温するヒータコア２２および空気の吹出方向を空調モードに応じて切り替えるモードアクチュエータ２３とを備えている。
【００１３】
前記空調操作部３は、乗員による空調装置２の作動、停止要望を受ける操作パネル２４を備え、前記エバポレータ温度センサ２０と車両の外気温度を検出する外気温センサ２５を接続している。空調操作部３は、制御装置４からの入力を受けて、空調装置２のブロワファンドライバ１７によるブロワファンモータ１８の動作、内外気切替アクチュエータ１９、エアミックスアクチュエータ２１、モードアクチュエータ２３の動作を行う。
【００１４】
前記制御装置４には、前記エアコン用コンプレッサリレー８を接続している。制御装置４は、エアコン用コンプレッサリレー８によりマグネットクラッチ９を接続、切断してエンジンの動力をエアコン用コンプレッサ１０に供給、遮断し、エアコン用コンプレッサ１０を作動、停止する。
また、制御装置４には、前記エアコン冷媒の圧力（Ｐａｃ）を検出する冷媒圧センサ１４と、前記エバポレータ１６の温度（Ｔｅ）を検出するエバポレータ温度センサ２０と、前記車両の外気の温度（Ｔａ）を検出する外気温センサ２５と、車両の車速（ＶＳＰ）を検出する車速センサ２６と、エンジン回転数（Ｎｅ）を検出するクランク角センサ２７と、エンジンの吸気の圧力（Ｐｂ）を検出する吸気圧センサ２８と、アクセルペダルの踏み込み量（アクセル開度ともいう）（ＡＰＳ）を検出するアクセルセンサ２９と、エンジンの吸気の温度（Ｔｉａ）を検出する吸気温センサ３０と、エンジンの冷却水の温度（Ｔｗ）を検出する水温センサ３１とを接続している。なお、制御装置４は、エバポレータ温度センサ２０と外気温センサ２５の各検出結果を、空調操作部３から入力する。さらに、制御装置４は、時間カウントを行うタイマ３２を備えている。
前記冷媒圧センサ１４の検出するエアコン冷媒圧は、エアコン用コンプレッサ１０が稼動しているか否かを判断することができるだけでなく、エアコン用コンプレッサ１０の稼働量も判断することができる。エアコン用コンプレッサ１０は、その駆動源をエンジンより得ているので、エアコン用コンプレッサ１０の稼動量が分かり、エンジンヘの負荷度合いも分かる。
制御装置４は、各センサ１４、２０、２５〜３１の検出結果を入力し、タイマ３２がカウントした時間を合わせてエアコン用コンプレッサ１０の作動（ＯＮ）、停止（ＯＦＦ）を判断し、エアコン用コンプレッサ１０の作動と停止を実施する。また、制御装置４は、エバポレータ温度センサ２０以外のセンサの検出結果を入力し、タイマ３２がカウントした時間を合わせてエアコン用コンプレッサ１０の作動、停止を行うための所定温度の変更を行うか否かを判断し、エアコン用コンプレッサ１０の作動、停止を実行する。
【００１５】
制御装置４は、従来、図２（Ａ）に示すように、エバポレータ１６の温度Ｔｅが所定の温度近傍にあるよう、エアコン用コンプレッサ１０の作動（ＯＮ）、停止（ＯＦＦ）を繰り返して実施する。そのため、制御装置４には、エアコン用コンプレッサ１０をＯＮする所定温度Ｔｏと、エアコン用コンプレッサ１０をＯＦＦする所定温度Ｔｓとが設定されている。
制御装置４は、空調装置２の作動時（操作パネル２４のエアコンスイッチＯＮ時）で、エバポレータ１６の温度Ｔｅが所定温度Ｔｏに達すると、エアコン用コンプレッサ１０をＯＮとし、エバポレータ１５の温度Ｔｅが低下する。そして、制御装置４は、エバポレータ１６の温度Ｔｅが所定温度Ｔｓまで低下すると、エアコン用コンプレッサ１０をＯＦＦとし、再びエバポレータ１６の温度Ｔｅが所定温度Ｔｏに達すると、エアコン用コンプレッサ１０をＯＮとする。
制御装置４は、以上のようなエアコン用コンプレッサ１０のＯＮ、ＯＦＦのサイクルを繰り返すことで、空調装置２のエバポレータ１６の温度Ｔｅが所定の温度領域にあるよう制御され、エバポレータ１６を通過した空気温度が所定温度近傍にあることが可能となっている。
【００１６】
この発明の制御装置４では、図２（Ｂ）に示すよう、エアコン用コンプレッサ１０をＯＮする所定温度ＴｏにあたるＴｏ１とＴｏ２、また、エアコン用コンプレッサ１０をＯＦＦする所定温度ＴｓにあたるＴｓ１とＴｓ２のように、エアコン用コンプレッサ１０をＯＮする所定温度ＴｏとＯＦＦする所定温度Ｔｓとを夫々２つずつ備えている。エアコン用コンプレッサ１０をＯＮする所定温度Ｔｏ１、Ｔｏ２、エアコン用コンプレッサ１０をＯＦＦする所定温度Ｔｓ１、Ｔｓ２、エバポレータ１６の温度Ｔｅの関係は、以下にように設定している。
制御装置４は、上記のＴｏ、Ｔｓにあたる所定温度を、以下の通常時と高負荷時との場合を持っている。 
・通常時制御の場合 
エアコン用コンプレッサ１０をＯＮする所定温度：Ｔｏ１ 
エアコン用コンプレッサ１０をＯＦＦする所定温度：Ｔｓ１ 
・高負荷時制御の場合 
エアコン用コンプレッサ１０をＯＮする所定温度：Ｔｏ２ 
エアコン用コンプレッサ１０をＯＦＦする所定温度：Ｔｓ２ 
通常時制御における所定温度Ｔｏ１、Ｔｓ１および高負荷時制御における所定温度Ｔｏ２、Ｔｓ２とエアコン用コンプレッサ１０のＯＮ、ＯＦＦとの関係は、上述した従来の所定温度Ｔｏ、Ｔｓの場合と同様のサイクルを繰り返す構成としている。
制御装置４は、エンジン始動直後は通常時制御を行い、エンジンに負荷がかかっていると判断した場合に後述するように高温側の高負荷時制御に移行する。
Ｔｏ１、Ｔｏ２、Ｔｓ１、Ｔｓ２の大小関係は以下の通りである。 
・Ｔｏ１＜Ｔｏ２ 
・Ｔｓ１＜Ｔｓ２ 
・Ｔｓ１＜Ｔｏ１ 
・Ｔｓ２＜Ｔｏ２ 
また、Ｔｏ１とＴｓ１の温度の差、Ｔｏ２とＴｓ２の温度の差は、同じである。さらに、Ｔｏ１＜Ｔｓ２の条件を加えても良い。本条件を追加することで、高負荷時制御の場合のエバポレータ１６の温度Ｔｅは通常時制御の場合とは異なる温度となるよう制御される。これより、高負荷時制御では、車両の加速性能向上と車内の快適性確保ができる。
【００１７】
次に、作用を説明する。 
制御装置４は、以下の条件（１）、（２）を満たす場合に、制御装置４のタイマ３２が時間カウントを行い、且つ条件（１）、（２）を満たした状態が所定時間Ｔｘ１継続した場合に、空調制御装置１は高負荷時制御に移行し、エアコン用コンプレッサ１０がＯＮ、ＯＦＦとなるエバポレータ１６の所定温度を、通常時制御における所定温度Ｔｏ１、Ｔｓ１から高温側の所定温度Ｔｏ２、Ｔｓ２に変更する。
（１）アクセル開度（アクセルペダルの踏み込み量）（ＡＰＳ）≧所定値（Ｄ）
（２）エアコン冷媒圧力（Ｐａｃ）≧所定値（Ｅ） 
なお、Ｄ、Ｅは定数である。 
具体的には、アクセル開度ＡＰＳが所定値Ｄ以上、エアコン冷媒圧Ｐａｃが所定値Ｅ以上であって、且つこれらの状態が所定時間Ｔｘ１継続した場合に、通常時制御の場合にエアコン用コンプレッサ１０をＯＮするエバポレータ１６の所定温度Ｔｏ１を高温側の高負荷時制御の場合の所定温度Ｔｏ２に変更し、通常時制御の場合にエアコン用コンプレッサ１０をＯＦＦするエバポレータ１６の所定温度Ｔｓ１を高温側の高負荷時制御の場合の所定温度Ｔｓ２に変更する。
【００１８】
図３に示すように、制御装置４は、制御がスタートすると（１０１）、アクセルセンサ２９および冷媒圧センサ１４からアクセル開度ＡＰＳおよびエアコン冷媒圧Ｐａｃの検出結果を入力し（１０２）、アクセル開度が所定値Ｄ以上（ＡＰＳ≧Ｄ）、エアコン冷媒圧力が所定値Ｅ以上（Ｐａｃ≧Ｅ）であるかを判断する（１０３）。
この判断（１０３）がＹＥＳの場合は、高負荷時制御を実行中であるかを判断する（１０４）。この判断（１０４）がＮＯの場合は、タイマ３２による時間カウントを開始し（１０５）、アクセルセンサ２９および冷媒圧センサ１４からアクセル開度ＡＰＳおよびエアコン冷媒圧Ｐａｃの検出結果を入力し（１０６）、アクセル開度が所定値Ｄ以上（ＡＰＳ≧Ｄ）、エアコン冷媒圧が所定値Ｅ以上（Ｐａｃ≧Ｅ）であるかを判断する（１０７）。
この判断（１０７）がＹＥＳの場合は、タイマ３２の時間カウント値が所定時間Ｔｘ１を経過したかを判断する（１０８）。この判断（１０８）がＮＯの場合は、各センサ１４、２９からの検出結果の入力（１０６）に戻る。この判断（１０８）がＹＥＳの場合は、高負荷時制御を実行し（１０９）、これにより、エアコン用コンプレッサ１０がＯＮ、ＯＦＦとなるエバポレータ１６の所定温度を高温側のＴｏ２、Ｔｓ２に変更し、制御をエンドにする（１１０）。
一方、前記判断（１０７）において、アクセル開度が所定値Ｄ未満（ＡＰＳ＜Ｄ）、および／またはエアコン冷媒圧が所定値Ｅ未満（Ｐａｃ＜Ｅ）でＮＯの場合は、タイマ３２による時間カウントを中止し（１１１）、通常時制御を実行し（１１２）、これにより、エアコン用コンプレッサ１０がＯＮ、ＯＦＦとなるエバポレータ１６の所定温度を通常のＴｏ１、Ｔｓ１に変更し、制御をエンドにする（１１０）。
また、前記判断（１０４）において、高負荷時制御を実行中でＹＥＳの場合は、高負荷時制御を続行し（１１３）、制御をエンドにする（１１０）。
さらに、前記判断（１０３）において、アクセル開度が所定値Ｄ未満（ＡＰＳ＜Ｄ）、および／またはエアコン冷媒圧が所定値Ｅ未満（Ｐａｃ＜Ｅ）でＮＯの場合は、高負荷時制御を実行中であるかを判断する（１１４）。この判断（１１４）がＮＯの場合は、各センサ１４、２９からの検出結果の入力（１０２）に戻る。この判断（１１４）がＹＥＳの場合は、通常時制御を実行し（１１２）、制御をエンドにする（１１０）。
【００１９】
この車両の空調制御装置１は、フロー処理において、アクセルセンサ２９および冷媒圧センサ１４によりアクセル開度（ＡＰＳ）およびエアコン冷媒圧（Ｐａｃ）を常に検出し、各センサ１４、２９から検出結果を制御装置４に入力する。（ステップ１０２、１０３）
（１）アクセル開度（ＡＰＳ）≧所定値（Ｄ）および（２）エアコン冷媒圧（Ｐａｃ）≧所定値（Ｅ）の両方の条件が満たされた場合に、制御装置４のタイマ３２が時間カウントを開始し、且つ前記（１）、（２）の両方の条件を満たした状態が所定時間Ｔｘ１継続した場合に、高負荷時制御に移行し、エアコン用コンプレッサ１０がＯＮ、ＯＦＦとなるエバポレータ１６の所定温度を高温側のＴｏ２、Ｔｓ２に変更する。（ステップ１０５〜１０９）
高負荷時制御は、空調装置２のその他の制御よりも優先して実施される。高負荷時制御の場合に車内に吹き出しされる空気温度は、通常時制御の場合に比べて若干高くなる。なお、通常時制御の場合および高負荷時制御の場合に吹き出しされる空気温度の差（通常時制御の場合のエバポレータ１６の所定温度と高負荷時制御の場合のエバポレータ１６の所定温度との差）は、任意に設定が可能である。
一方、以下に示す場合に、制御装置４は高負荷時制御には移行せず、通常時制御を行う。一つは、時間カウント中に条件（１）、（２）の一方若しくは両方が満足されないと判断された場合である。他の一つは、前記条件（１）、（２）の一方若しくは両方が満足されないと判断された場合である。
制御装置４は、時間カウント中に条件（１）、（２）の一方若しくは両方が満足されないと判断された場合、時間カウントを中止して通常時制御を行う。（ステップ１０７、１１１、１１２）
また、制御装置４は、高負荷時制御に移行してフロー処理を終了した後、次回のフロー処理時において再度、条件（１）、（２）の両方を満足すると判断された場合、時間カウントは行わず高負荷時制御を続行する処理を行い、フロー処理を終了する。（ステップ１０３、１０４、１１３）
これに対して、制御装置４は、高負荷時制御に移行してフロー処理を終了した後、次回のフロー処理時において、条件（１）、（２）の一方若しくは両方が満足されないと判断された場合、通常時制御に移行し、フロー処理を終了する。（ステップ１０３、１１４、１１２）
【００２０】
このように、車両の空調制御装置１は、乗員の車両の加速要求をアクセルペダル踏み込み量を示すアクセル開度により判断することとしたので、従来技術よりも、より乗員の意に沿った車両の加速要求判断を行うことができ、且つ一つのアクセルセンサ２９の検出結果より乗員の車両の加速要求判断を行うことができる。
また、この車両の空調制御装置１は、乗員が車両の加速要求とエアコンの作動要求を持ち合わせているときにエバポレータ１６の所定温度を高温側に変更することで、エアコン用コンプレッサ１０の稼動量を減らして、エアコン用コンプレッサ１０の駆動によるエンジントルクの減少を抑制できる。故に、この車両の空調制御装置１は、乗員の意に沿った車両の加速性能確保と空調装置２の作動が可能となる。
さらに、この車両の空調制御装置１は、エアコン用コンプレッサ１０の作動と停止を実施するエバポレータ１６の所定温度を高温側に変更させるか否を、乗員の加速要求の指標となるアクセル開度と、エアコン用コンプレッサ１０の稼動量を示すエアコン冷媒圧との２つの要素から判断することとしたので、制御装置４の構成の簡素化ができる。
この車両の空調制御装置１は、エアコン用コンプレッサ１０の作動と停止を実施するエバポレータ１６の所定温度を高温側に変更させるトリガを、アクセル開度およびエアコン冷媒圧が所定値以上となることだけでなく、その状態が所定時間継続した場合としている。車両の空調制御装置１は、アクセル開度およびエアコン冷媒圧が瞬間的に所定値以上となるような場合、エバポレータ１６の所定温度を高温側とする高負荷時制御に移行しないので、高負荷時制御への変更頻度が軽減できる。
この車両の空調制御装置１は、高負荷時制御の場合に車内に吹き出しされる空気温度は通常時制御の場合に比べて若干高くなるが、空調装置２が停止している場合よりも車内の快適性を確保することができる。
この車両の空調制御装置１は、フロー処理開始時に高負荷時制御に移行するためのアクセル開度およびエアコン冷媒圧の条件（時間カウントを除く）をみてから、高負荷時制御が実行中であるか否かの確認を行うので、特に高負荷時制御が実行中である場合は通常時制御に移行するか高負荷時制御を維持するかを直ちに判断することができる。
【００２１】
また、空調制御装置１の制御装置４は、時間カウント中にエアコン用コンプレッサ１０の作動と停止を実施する所定温度を高温側に変更するための条件が満たされないと判断された場合、時間カウントを中止し、エアコン用コンプレッサ１０の作動と停止を実施する所定温度を高温側に変更せずにフロー処理を終えている。
これにより、この車両の空調制御装置１は、通常時制御および高負荷時制御の制御が頻繁に切り替わることを防ぐと共に、空調装置２より吹き出しされる空気温度が頻繁に変化することを抑制し、乗員に与える不快感を軽減できる。
さらに、空調制御装置１の制御装置４は、そのフロー処理開始時にアクセルセンサ２９および冷媒圧センサ１４の検出結果を入力し、既にエアコン用コンプレッサ１０の作動と停止を実施する所定温度を高温側に変更しており、且つタイマ３２により時間カウントを行うための条件が満足される場合、エアコン用コンプレッサ１０の作動と停止を実施する所定温度を高温側に維持し続けている。
これにより、この車両の空調制御装置１は、フロー処理開始時に高負荷時制御に移行するためのアクセル開度およびエアコン冷媒圧の条件（時間カウントを除く）をみてから、高負荷時制御の実行中であるか否かの確認を行うことになり、特に高負荷時制御が実行中である場合は通常時制御に移行するか高負荷時制御を維持するかを直ちに判断することができる。
さらにまた、空調制御装置１の制御装置４は、そのフロー処理開始時にアクセルセンサ２９および冷媒圧センサ１４の検出結果を入力し、既にエアコン用コンプレッサ１０の作動と停止を実施する所定温度を高温側に変更しており、且つタイマ３２により時間カウントを行うための条件が満足されない場合、エアコン用コンプレッサ１０の作動と停止を実施する所定温度の高温側への変更を解除している。
これにより、この車両の空調制御装置１は、フロー処理開始時に高負荷時制御に移行するためのアクセル開度およびエアコン冷媒圧の条件（時間カウントを除く）をみてから、高負荷時制御の実行中であるか否かの確認を行うことになり、特に高負荷時制御が実行中である場合は通常時制御に移行するか高負荷時制御を維持するかを直ちに判断することができる。
【００２２】
図４・図５は、変形例１を示すものである。 
変形例１の空調制御装置１は、前述実施例に対し、よりエンジンヘの負荷が大きい状況下における場合を想定したものである。この状況下とは、例えば車両周辺の温度が比較的高くなる夏期に、車両が登坂路を走行する場合である。
このような場合、車両が登坂路を走行するために乗員によってアクセルペダルが通常よりも多めに踏み込まれる一方で、車内の快適性向上のために空調装置２も作動され、且つ登坂路を走行して車両の速度が低下することで、平坦路や降坂路の走行時よりもエンジンの冷却水を冷却するラジエータヘの走行風の導入量も少なくなる。つまり、エンジンにはより多くの負荷がかかり、オーバヒートを起こしやすい状態である。
変形例１の空調制御装置１は、オーバヒートの発生を抑制しつつ、車内の快適性を得るために、アクセル開度ＡＰＳと、エアコン冷媒圧Ｐａｃと、車両の車速ＶＳＰと、エンジン回転数Ｎｅと、吸気圧Ｐｂと、外気温Ｔａと、吸気温Ｔｉａと、エンジンの水温Ｔｗとによって、高負荷時制御に移行するための条件を設定している。
具体的には、アクセル開度ＡＰＳが所定値Ｄ以上、エアコン冷媒圧Ｐａｃが所定値Ｅ以上、車速ＶＳＰが所定値Ａ未満、エンジン回転数Ｎｅが所定値Ｂ以上、吸気圧Ｐｂが所定値Ｃ以上、外気温Ｔａが所定値Ｆ以上、吸気温Ｔｉａが所定値Ｇ以上、水温Ｔｗが所定値Ｈ以上であって、且つこれらの状態が所定時間Ｔｘ２継続した場合に、通常時制御の場合にエアコン用コンプレッサ１０をＯＮするエバポレータ１６の所定温度Ｔｏ１を高温側の高負荷時制御の所定温度Ｔｏ２に変更し、通常時制御の場合にエアコン用コンプレッサ１０をＯＦＦするエバポレータ１６の所定温度Ｔｓ１を高温側の高負荷時制御の場合の所定温度Ｔｓ２に変更する。
【００２３】
変形例１の空調制御装置１は、上記実施例のアクセル開度（ＡＰＳ）、エアコン冷媒圧（Ｐａｃ）に加えて、車速（ＶＳＰ）、エンジン回転数（Ｎｅ）、吸気圧（Ｐｂ）、外気温（Ｔａ）、吸気温（Ｔｉａ）、水温（Ｔｗ）を検出するセンサ１４、２５〜３１を備え、各センサ１４、２５〜３１の検出結果を判断の条件にしている。具体的には、条件（１）から（８）の全てを満たした場合に、制御装置４のタイマ３２が時間カウントを行い、且つ条件（１）から（８）の全てを満たした状態が所定時間Ｔｘ２継続した場合に、空調制御装置１は高負荷時制御に移行する構成とする。
（１）アクセル開度（ＡＰＳ）≧所定値（Ｄ） 
（２）エアコン冷媒圧（Ｐａｃ）≧所定値（Ｅ） 
（３）車両の車速（ＶＳＰ）＜所定値（Ａ） 
（４）エンジン回転数（Ｎｅ）≧所定値（Ｂ） 
（５）吸気圧（Ｐｂ）≧所定値（Ｃ） 
（６）外気温（Ｔａ）≧所定値（Ｆ） 
（７）吸気温（Ｔｉａ）≧所定値（Ｇ） 
（８）エンジンの水温（Ｔｗ）≧所定値（Ｈ） 
なお、Ａ、Ｂ、Ｃ、Ｄ、Ｅ、Ｆ、Ｇ、Ｈは定数である。 
図４に示すように、制御装置４は、制御がスタートすると（２０１）、各センサ１４、２５〜３１から車速ＶＳＰ、エンジン回転数Ｎｅ、吸気圧Ｐｂ、アクセル開度ＡＰＳ、エアコン冷媒圧Ｐａｃ、外気温Ｔａ、吸気温Ｔｉａ、水温Ｔｗの検出結果を入力し（２０２）、車速が所定値未満（ＶＳＰ＜Ａ）であり、エンジン回転数が所定値以上（Ｎｅ≧Ｂ）、吸気圧が所定値以上（Ｐｂ≧Ｃ）、アクセル開度が所定値以上（ＡＰＳ≧Ｄ）、エアコン冷媒圧が所定値以上（Ｐａｃ≧Ｅ）、外気温が所定値以上（Ｔａ≧Ｆ）、吸気温が所定値以上（Ｔｉａ≧Ｇ）、水温が所定値以上（Ｔｗ≧Ｈ）であるかを判断する（２０３）。 
この判断（２０３）がＹＥＳの場合は、高負荷時制御を実行中であるかを判断する（２０４）。この判断（２０４）がＮＯの場合は、タイマ３２による時間カウントを開始し（２０５）、各センサ１４、２５〜３１から車速ＶＳＰ、エンジン回転数Ｎｅ、吸気圧Ｐｂ、アクセル開度ＡＰＳ、エアコン冷媒圧Ｐａｃ、外気温Ｔａ、吸気温Ｔｉａ、冷却水温Ｔｗの検出結果を入力し（２０６）、車速が所定値未満（ＶＳＰ＜Ａ）、エンジン回転数が所定値以上（Ｎｅ≧Ｂ）、吸気圧が所定値以上（Ｐｂ≧Ｃ）、アクセル開度が所定値以上（ＡＰＳ≧Ｄ）、エアコン冷媒圧が所定値以上（Ｐａｃ≧Ｅ）、外気温が所定値以上（Ｔａ≧Ｆ）、吸気温が所定値以上（Ｔｉａ≧Ｇ）、水温が所定値以上（Ｔｗ≧Ｈ）であるかを判断する（２０７）。 
この判断（２０７）がＹＥＳの場合は、タイマ３２の時間カウント値が所定時間Ｔｘ２を経過したかを判断する（２０８）。この判断（２０８）がＮＯの場合は、各センサ１４、２５〜３１からの検出結果の入力（２０６）に戻る。この判断（２０８）がＹＥＳの場合は、高負荷時制御を実行し（２０９）、これにより、エアコン用コンプレッサ１０がＯＮ、ＯＦＦとなるエバポレータ１６の所定温度を高温側のＴｏ２、Ｔｓ２に変更し、制御をエンドにする（２１０）。
一方、前記判断（２０７）において、車速が所定値未満（ＶＳＰ＜Ａ）、エンジン回転数が所定値以上（Ｎｅ≧Ｂ）、吸気圧が所定値以上（Ｐｂ≧Ｃ）、アクセル開度が所定値以上（ＡＰＳ≧Ｄ）、エアコン冷媒圧が所定値以上（Ｐａｃ≧Ｅ）、外気温が所定値以上（Ｔａ≧Ｆ）、吸気温が所定値以上（Ｔｉａ≧Ｇ）、水温が所定値以上（Ｔｗ≧Ｈ）のいずれか１以上を満足せずにＮＯの場合は、タイマ３２による時間カウントを中止し（２１１）、通常時制御を実行し（２１２）、これにより、エアコン用コンプレッサ１０がＯＮ、ＯＦＦとなるエバポレータ１６の所定温度を通常時制御のＴｏ１、Ｔｓ１に変更し、制御をエンドにする（２１０）。
また、前記判断（２０４）において、高負荷時制御を実行中でＹＥＳの場合は、高負荷時制御を続行し（２１３）、制御をエンドにする（２１０）。
さらに、前記判断（２０３）において、車速が所定値未満（ＶＳＰ＜Ａ）、エンジン回転数が所定値以上（Ｎｅ≧Ｂ）、吸気圧が所定値以上（Ｐｂ≧Ｃ）、アクセル開度が所定値以上（ＡＰＳ≧Ｄ）、エアコン冷媒圧が所定値以上（Ｐａｃ≧Ｅ）、外気温が所定値以上（Ｔａ≧Ｆ）、吸気温が所定値以上（Ｔｉａ≧Ｇ）、水温が所定値以上（Ｔｗ≧Ｈ）のいずれか１以上を満足せずにＮＯの場合は、高負荷時制御を実行中であるかを判断する（２１４）。この判断（２１４）がＮＯの場合は、各センサ１４、２５〜３１からの検出結果の入力（２０２）に戻る。この判断（２１４）がＹＥＳの場合は、通常時制御を実行し（２１２）、制御をエンドにする（２１０）。
【００２４】
高負荷時制御は、空調装置２のその他の制御よりも優先して実施される。この高負荷時制御の場合に車内に吹き出しされる空気温度は、通常時制御に比べて若干高くなる。なお、この通常時制御の場合に吹き出しされる空気温度および高負荷時制御時に吹き出しされる空気温度の差（通常時制御の場合のエバポレータ１６の所定温度と高負荷時制御の場合のエバポレータ１６の所定温度との差）は、任意に設定が可能である。
一方、以下に示す場合に、制御装置４は高負荷時制御には移行せず通常時制御を行う。 
・条件（１）から（８）のいずれか一つないし全てが満足されないと判断された場合。 
・時間カウント中に条件（１）から（８）のいずれか一つないし全てが満足されないと判断された場合。 
高負荷時制御に移行してフロー処理を終了した後、次回のフロー処理時において再度、条件（１）から（８）の全てを満足すると判断された場合、時間カウントは行わず高負荷時制御を続行する処理を行い、フロー処理を終了する。対して条件（１）から（８）のいずれか一つないし全てが満足されないと判断された場合は、通常時制御に移行し、フロー処理を終了する。
なお、所定時間Ｔｘ２は、実施例の所定時間Ｔｘ１としても良い。 
【００２５】
図５は、変形例１の空調制御装置１に対応したタイムチャートである。図５の縦軸は、各パラメータの値を示している。説明の都合上、図５には車速ＶＳＰ、エンジン回転数Ｎｅ、吸気圧Ｐｂ、アクセル開度ＡＰＳの４つのパラメータ（エアコン冷媒圧Ｐａｃ、外気温Ｔａ、吸気温Ｔｉａ、水温Ｔｗは不図示）をまとめて記載している。各パラメータの縦軸の一目盛りが示す大きさは、各パラメータごとに異なる。また、図５の横軸は、時間を示している。
図５には、車速ＶＳＰ、エンジン回転数Ｎｅ、吸気圧Ｐｂ、アクセル開度ＡＰＳが表示されており、時間経過による各パラメータの移り変わりを示している。なお、図５では、車速ＶＳＰ、エアコン冷媒圧Ｐａｃ、外気温Ｔａ、吸気温Ｔｉａ、水温Ｔｗは既に条件を満たしている。
図５において、各パラメータの時間経過による移り変わりをみると、車速ＶＳＰが緩やかに増加するのに対して、アクセル開度ＡＰＳが大きく増加し、あわせてエンジン回転数Ｎｅおよび吸気圧Ｐｂも大きく増加していることが分かる。つまり、エンジンヘの負荷は大きいが、車速ＶＳＰは大きく増加しない登坂路走行状態を示している。
制御装置４は、図５において、エンジン回転数Ｎｅ、吸気圧Ｐｂ、アクセル開度ＡＰＳが順に所定値以上となり全条件が成立する（ｔ１）ことで時間カウントを開始し、時間カウント中も各パラメータは所定値以上となっている。これより、空調制御装置１は、時間カウントによる所定時間Ｔｘ２の経過（ｔ２）を経て、高負荷時制御に移行している。
【００２６】
このように、変形例１の空調制御装置１は、各センサ１４、２５〜３１からアクセル開度ＡＰＳ、エアコン冷媒圧Ｐａｃ、車速ＶＳＰ、エンジン回転数Ｎｅ、吸気圧Ｐｂ、外気温Ｔａ、吸気温Ｔｉａ、水温Ｔｗの検出結果を入力し、車速が所定値未満（ＶＳＰ＜Ａ）であり、エンジン回転数が所定値以上（Ｎｅ≧Ｂ）、アクセル開度が所定値以上（ＡＰＳ≧Ｄ）、エアコン冷媒圧が所定値以上（Ｐａｃ≧Ｅ）、吸気圧が所定値以上（Ｐｂ≧Ｃ）、外気温が所定値以上（Ｔａ≧Ｆ）、吸気温が所定値以上（Ｔｉａ≧Ｇ）、水温が所定値以上（Ｔｗ≧Ｈ）となる状態が所定時間Ｔｘ２連続して維持された場合に、エアコン用コンプレッサ１０の作動と停止をするエバポレータ１６の所定温度を高温側に変更する。
これにより、この車両の空調制御装置１は、高温登坂時などのエンジンヘの負荷が高い状況下において、車両の加速性確保と車内の快適性を得ることができる。また、この車両の空調制御装置１は、エンジンヘの負荷を減らし、オーバヒートの発生も抑制できる。
また、この車両の空調制御装置１は、乗員が車両の加速要求とエアコンの作動要求を持ち合わせているときにエバポレータ１６の設定温度を高温側に変更することで、エアコン用コンプレッサ１０の稼動量を減らして、エアコン用コンプレッサ１０の駆動によるエンジントルクの減少を抑制できる。故に、この車両の空調制御装置１は、乗員の意に沿った車両の加速性能確保と空調装置２の作動が可能となる。
さらに、この車両の空調制御装置１は、エアコン用コンプレッサ１０の作動と停止を実施するエバポレータ１６の所定温度を高温側に変更させるトリガ（車速、エンジン回転数、アクセル開度、エアコン冷媒圧、吸気圧、外気温、吸気温、水温）は、各センサ１４、２５〜３１の検出結果が制御装置４に設定された所定値（Ａ〜Ｈ）を満足するだけでなく、その状態が所定時間Ｔｘ２継続した場合としている。この車両の空調制御装置１は、各センサ１４、２５〜３１の検出結果が瞬間的に制御装置４に設定された所定値を満足するような場合、エバポレータ１６の所定温度を高温側とする高負荷時制御へ移行しないので、高負荷時制御への変更頻度が軽減できる。
この車両の空調制御装置１は、高負荷時制御の場合に車内に吹き出しされる空気温度は通常時制御の場合に比べて若干高くなるが、空調装置２が停止している場合よりも車内の快適性を確保することができる。
この車両の空調制御装置１は、フロー処理開始時に高負荷時制御に移行するためのアクセル開度およびエアコン冷媒圧の条件（時間カウントを除く）をみてから、高負荷時制御が実行中であるか否かの確認を行うので、特に高負荷時制御が実行中である場合は通常時制御に移行するか高負荷時制御を維持するかを直ちに判断することができる。
【００２７】
また、変形例１の空調制御装置１は、前述実施例と同様に、時間カウント中にエアコン用コンプレッサ１０の作動と停止を実施する所定温度を高温側に変更するための条件が満たされないと判断された場合、時間カウントを中止し、エアコン用コンプレッサ１０の作動と停止を実施する所定温度を高温側に変更せずにフロー処理を終えているので、通常時制御および高負荷時制御の制御が頻繁に切り替わることを防ぐと共に、空調装置２より吹き出しされる空気温度が頻繁に変化することを抑制し、乗員に与える不快感を軽減できる。
さらに、変形例１の空調制御装置１は、そのフロー処理開始時に各センサ１４、２５〜３１の検出結果を入力し、既にエアコン用コンプレッサ１０の作動と停止を実施する所定温度を高温側に変更しており、且つタイマ３２により時間カウントを行うための条件が満足される場合、エアコン用コンプレッサ１０の作動と停止を実施する所定温度を高温側に維持し続けているので、フロー処理開始時に高負荷時制御に移行するための車速などの条件（時間カウントを除く）をみてから、高負荷時制御の実行中であるか否かの確認を行うことになり、特に高負荷時制御が実行中である場合は通常時制御に移行するか高負荷時制御を維持するかを直ちに判断することができる。
さらにまた、変形例１の空調制御装置１は、そのフロー処理開始時に各センサ１４、２５〜３１の検出結果を入力し、既にエアコン用コンプレッサ１０の作動と停止を実施する所定温度を高温側に変更しており、且つタイマ３２により時間カウントを行うための条件が満足されない場合、エアコン用コンプレッサ１０の作動と停止を実施する所定温度の高温側への変更を解除しているので、フロー処理開始時に高負荷時制御に移行するための車速などの条件（時間カウントを除く）をみてから、高負荷時制御の実行中であるか否かの確認を行うことになり、特に高負荷時制御が実行中である場合は通常時制御に移行するか高負荷時制御を維持するかを直ちに判断することができる。
【００２８】
この発明は、上述実施例および変形例１以外にも、種々応用改変が可能である。 
例えば、上述実施例および変形例１において、高負荷時制御から通常時制御へ移行（高負荷時制御の解除ともいう）は、高負荷時制御に移行するための条件（時間カウントを除く）が一つ以上満足されないと判断された時点で行うとした。しかし、高負荷時制御に移行してからの一定時間は、高負荷時制御を維持する構成としても良い。（変形例２）
変形例２の空調制御装置１は、高負荷時制御に移行してからの一定時間は、高負荷時制御を維持する構成とするので、車両の加速性確保およびエンジンヘの負荷軽減をより長く得ることができる。
【００２９】
また、上述実施例のアクセル開度（ＡＰＳ）≧所定値（Ｄ）の条件（１）の代わりに、車両の他の機器の制御に用いるセンサ類の検出結果を用いる構成としても良い。他の機器としては、例えばトルクコンバータを備えた有段変速機、ベルト式の無段変速機等からなる自動変速機である。このような自動変速機を搭載した車両には、登降坂路走行において頻繁に変速が実施されることを抑制するために、車両が登降坂路を走行中であるか否かを判断しているものがある。これより、自動変速機に用いる制御を利用して登坂路を判断し、エバポレータ１６の所定温度を高温側に変更する構成としても良い。（変形例３）
変形例３の空調制御装置１は、自動変速機に用いる制御を用いて、車両が登坂路を走行しているか否かを判断できるので、上述実施例と同様の効果が得られ、また、制御装置４の共有化および制御装置４の簡素化ができる。なお、条件（１）と他の機器の制御に用いるセンサ類の検出結果を併用した構成としても良い。
【産業上の利用可能性】
【００３０】
この発明は、空調装置を搭載した車両についての加速性能向上と車室の快適性確保との両立を図ることができ、空調装置を搭載した輸送機器に適用することができる。
【符号の説明】
【００３１】
１  空調制御装置 
２  空調装置 
３  空調操作部 
４  制御装置 
５  冷熱サイクルユニット 
６  ヒータおよびクーリングユニット 
７  フロアベンチレータ 
１０  エアコン用コンプレッサ 
１２  コンデンサ 
１３  レシーバドライヤ 
１４  冷媒圧センサ 
１６  エバポレータ 
１８  ブロワファンモータ 
２０  エバポレータ温度センサ 
２２  ヒータコア 
２４  操作パネル 
２５  外気温センサ 
２６  車速センサ 
２７  クランク角センサ 
２８  吸気圧センサ 
２９  アクセルセンサ 
３０  吸気温センサ 
３１  水温センサ 
３２  タイマ 
【図１】
0005585825.tif 000002
【図２】
0005585825.tif 000003
【図３】
0005585825.tif 000004
【図４】
0005585825.tif 000005
【図５】
0005585825.tif 000006